(57)【要約】  無線基地局と通信端末との通信を中継する中継装置であって、中継手段の無線基地局と通信端末との通信を中継する中継機能のオンオフを切り替える中継機能管理部と、中継機能管理部が中継機能をオフに切り替える場合に、中継装置と無線通信接続を確立している通信端末に対するハンドオーバ閾値の変更命令を、通信端末に送信する変更命令送信部とを備える中継装置を提供する。
2020202339.tif 000002
【特許請求の範囲】
【請求項１】
無線基地局と通信端末との通信を中継する中継装置であって、
前記無線基地局と前記通信端末との通信を中継する中継機能のオンオフを切り替える中継機能管理部と、
前記中継機能管理部が前記中継機能をオフに切り替える場合に、前記中継装置と無線通信接続を確立している前記通信端末に対するハンドオーバ閾値の変更命令を、前記通信端末に送信する変更命令送信部と
を備える中継装置。
【請求項２】
前記ハンドオーバ閾値の変更命令は、前記通信端末との無線通信に用いている無線周波数帯に対するハンドオーバ閾値を変更する命令である、請求項１に記載の中継装置。
【請求項３】
前記通信端末との無線通信に用いている無線周波数帯を特定する特定部
を備え、
前記変更命令送信部は、前記特定部によって特定された前記無線周波数帯に対するハンドオーバ閾値の変更命令を、前記通信端末に送信する、請求項２に記載の中継装置。
【請求項４】
前記変更命令送信部は、前記中継機能管理部が前記中継機能をオフに切り替える場合に、前記中継機能をオフに切り替えることを通知する通知信号を前記無線基地局に送信し、前記無線基地局によって送信された前記変更命令を受信して、前記変更命令を前記通信端末に送信する、請求項１から３のいずれか一項に記載の中継装置。
【請求項５】
前記中継機能管理部が前記中継機能をオフに切り替える場合に、前記変更命令を生成する変更命令生成部
を備え、
前記変更命令送信部は、前記変更命令生成部によって生成された前記変更命令を前記通信端末に送信する、請求項１から３のいずれか一項に記載の中継装置。
【請求項６】
前記変更命令送信部は、サービングセルからの電波受信強度が前記ハンドオーバ閾値よりも低いか否かを判定するための前記ハンドオーバ閾値を増加させる前記変更命令を前記通信端末に送信する、請求項１から５のいずれか一項に記載の中継装置。
【請求項７】
前記変更命令送信部は、前記ハンドオーバ閾値を予め定められた値まで増加させる前記変更命令を前記通信端末に送信する、請求項６に記載の中継装置。
【請求項８】
前記変更命令送信部は、前記ハンドオーバ閾値を予め定められた値の分増加させる前記変更命令を前記通信端末に送信する、請求項６に記載の中継装置。
【請求項９】
前記変更命令送信部は、前記中継機能管理部が前記中継機能をオフに切り替える前に、前記変更命令を前記通信端末に送信する、請求項１から８のいずれか一項に記載の中継装置。
【請求項１０】
前記中継機能管理部は、前記変更命令送信部が前記変更命令を前記通信端末に送信して、前記通信端末が前記中継装置からハンドオーバした後に、前記中継機能をオフに切り替える、請求項１から９のいずれか一項に記載の中継装置。
【請求項１１】
前記中継機能管理部は、前記中継装置と無線通信接続を確立している全ての前記通信端末が前記中継装置からハンドオーバした後に、前記中継機能をオフに切り替える、請求項１０に記載の中継装置。
【請求項１２】
前記中継装置は、移動体に搭載される、請求項１から１１のいずれか一項に記載の中継装置。
【請求項１３】
前記中継機能がオンである間に前記移動体の状態を監視して、前記中継機能がオフにされることを推定する推定部
を備え、
前記変更命令送信部は、前記推定部によって前記中継機能がオフにされると推定されたことに応じて、前記変更命令を前記通信端末に送信する、請求項１２に記載の中継装置。
【請求項１４】
前記推定部は、前記移動体の移動速度が予め定められた条件を満たした場合に、前記中継機能がオフにされると推定する、請求項１３に記載の中継装置。
【請求項１５】
前記推定部は、前記移動体の移動速度が予め定められた速度よりも遅い場合に、前記中継機能がオフにされると推定する、請求項１３に記載の中継装置。
【請求項１６】
前記推定部は、前記移動体の電源オフ操作を検出した場合に、前記中継機能がオフにされると推定する、請求項１３に記載の中継装置。
【請求項１７】
前記移動体は、車両であり、
前記推定部は、前記車両のイグニッションオフ操作を検出した場合に、前記中継機能がオフにされると推定する、請求項１３に記載の中継装置。
【請求項１８】
コンピュータを、請求項１から１７のいずれか一項に記載の中継装置として機能させるためのプログラム。
【請求項１９】
無線基地局と通信端末との通信を中継する中継手段を備える通信システムであって、
前記中継手段の前記無線基地局と前記通信端末との通信を中継する中継機能のオンオフを切り替える中継機能管理手段と、
前記中継機能管理手段が前記中継機能をオフに切り替える場合に、前記中継手段と無線通信接続を確立している前記通信端末に対するハンドオーバ閾値の変更命令を、前記通信端末に送信する変更命令送信手段と
を備える通信システム。
【請求項２０】
前記中継手段が前記通信端末との無線通信に用いている無線周波数帯を特定する特定手段
を備え、
前記変更命令送信手段は、前記特定手段によって特定された前記無線周波数帯に対するハンドオーバ閾値の変更命令を、前記通信端末に送信する、請求項１９に記載の通信システム。
【請求項２１】
無線基地局と通信端末との通信を中継する中継手段の中継機能をオンからオフへと切り替える場合に、前記中継手段と無線通信接続を確立している前記通信端末に対するハンドオーバ閾値の変更命令を、前記通信端末に送信する変更命令送信段階
を備える通信方法。
【請求項２２】
前記中継手段が前記通信端末との無線通信に用いている無線周波数帯を特定する特定段階
を備え、
前記変更命令送信段階は、前記特定段階において特定された前記無線周波数帯に対するハンドオーバ閾値の変更命令を、前記通信端末に送信する、請求項２１に記載の通信方法。
【発明の詳細な説明】
【技術分野】
【０００１】
本発明は、中継装置、プログラム、通信システム及び通信方法に関する。
【背景技術】
【０００２】
基地局として機能する移動可能な中継装置が知られていた（例えば、特許文献１参照）。
［先行技術文献］
［特許文献］
［特許文献１］特開２０１１−０２９９８８号公報
【解決しようとする課題】
【０００３】
中継装置の運用を適切に支援可能な技術を提供することが望ましい。
【一般的開示】
【０００４】
本発明の第１の態様によれば、無線基地局と通信端末との通信を中継する中継装置が提供される。中継装置は、無線基地局と通信端末との通信を中継する中継機能のオンオフを切り替える中継機能管理部を備えてよい。中継装置は、中継機能管理部が中継機能をオフに切り替える場合に、中継装置と無線通信接続を確立している通信端末に対するハンドオーバ閾値の変更命令を、通信端末に送信する変更命令送信部を備えてよい。
【０００５】
上記ハンドオーバ閾値の変更命令は、上記通信端末との無線通信に用いている無線周波数帯に対するハンドオーバ閾値を変更する命令であってよい。上記中継装置は、上記通信端末との無線通信に用いている無線周波数帯を特定する特定部を備えてよく、上記変更命令送信部は、上記特定部によって特定された上記無線周波数帯に対するハンドオーバ閾値の変更命令を、上記通信端末に送信してよい。上記変更命令送信部は、上記中継機能管理部が上記中継機能をオフに切り替える場合に、上記中継機能をオフに切り替えることを通知する通知信号を上記無線基地局に送信し、上記無線基地局によって送信された上記変更命令を受信して、上記変更命令を上記通信端末に送信してよい。上記中継装置は、上記中継機能管理部が上記中継機能をオフに切り替える場合に、上記変更命令を生成する変更命令生成部を備えてよく、上記変更命令送信部は、上記変更命令生成部によって生成された上記変更命令を上記通信端末に送信してよい。上記変更命令送信部は、サービングセルからの電波受信強度が上記ハンドオーバ閾値よりも低いか否かを判定するための上記ハンドオーバ閾値を増加させる上記変更命令を上記通信端末に送信してよい。上記変更命令送信部は、上記ハンドオーバ閾値を予め定められた値まで増加させる上記変更命令を上記通信端末に送信してよい。上記変更命令送信部は、上記ハンドオーバ閾値を予め定められた値の分増加させる上記変更命令を上記通信端末に送信してよい。上記変更命令送信部は、上記中継機能管理部が上記中継機能をオフに切り替える前に、上記変更命令を上記通信端末に送信してよい。上記中継機能管理部は、上記変更命令送信部が上記変更命令を上記通信端末に送信して、上記通信端末が上記中継装置からハンドオーバした後に、上記中継機能をオフに切り替えてよい。上記中継機能管理部は、上記中継装置と無線通信接続を確立している全ての上記通信端末が上記中継装置からハンドオーバした後に、上記中継機能をオフに切り替えてよい。
【０００６】
上記中継装置は、移動体に搭載されてよい。上記中継装置は、上記中継機能がオンである間に上記移動体の状態を監視して、上記中継機能がオフにされることを推定する推定部を備えてよく、上記変更命令送信部は、上記推定部によって上記中継機能がオフにされると推定されたことに応じて、上記変更命令を上記通信端末に送信してよい。上記推定部は、上記移動体の移動速度が予め定められた条件を満たした場合に、上記中継機能がオフにされると推定してよい。上記推定部は、上記移動体の移動速度が予め定められた速度よりも遅い場合に、上記中継機能がオフにされると推定してよい。上記推定部は、上記移動体の電源オフ操作を検出した場合に、上記中継機能がオフにされると推定してよい。上記移動体は、車両であってよく、上記推定部は、上記車両のイグニッションオフ操作を検出した場合に、上記中継機能がオフにされると推定してよい。
【０００７】
本発明の第２の態様によれば、コンピュータを、上記中継装置として機能させるためのプログラムが提供される。
【０００８】
本発明の第３の態様によれば、無線基地局と通信端末との通信を中継する中継手段を備える通信システムが提供される。通信システムは、中継手段の無線基地局と通信端末との通信を中継する中継機能のオンオフを切り替える中継機能管理手段を備えてよい。通信システムは、中継機能管理手段が中継機能をオフに切り替える場合に、中継手段と無線通信接続を確立している通信端末に対するハンドオーバ閾値の変更命令を、通信端末に送信する変更命令送信手段を備えてよい。通信システムは、中継手段が通信端末との無線通信に用いている無線周波数帯を特定する特定手段を備えてよく、変更命令送信手段は、特定手段によって特定された無線周波数帯に対するハンドオーバ閾値の変更命令を、通信端末に送信してよい。
【０００９】
本発明の第４の態様によれば、通信方法が提供される。通信方法は、無線基地局と通信端末との通信を中継する中継手段の中継機能をオンからオフへと切り替える場合に、中継手段と無線通信接続を確立している通信端末に対するハンドオーバ閾値の変更命令を、通信端末に送信する変更命令送信段階を備えてよい。通信方法は、中継手段が通信端末との無線通信に用いている無線周波数帯を特定する特定段階を備えてよく、変更命令送信段階は、特定段階において特定された無線周波数帯に対するハンドオーバ閾値の変更命令を、通信端末に送信してよい。
【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】通信システム１０の一例を概略的に示す。
【図２】通信システム１０における処理の流れの一例を概略的に示す。
【図３】通信システム１０における処理の流れの一例を概略的に示す。
【図４】中継装置２１０の機能構成の一例を概略的に示す。
【図５】中継装置２１０による処理の流れの一例を概略的に示す。
【図６】中継装置２１０による処理の流れの一例を概略的に示す。
【図７】中継装置２１０として機能するコンピュータ１２００のハードウェア構成の一例を概略的に示す。
【発明を実施するための形態】
【００１２】
以下、発明の実施の形態を通じて本発明を説明するが、以下の実施形態は請求の範囲にかかる発明を限定するものではない。また、実施形態の中で説明されている特徴の組み合わせの全てが発明の解決手段に必須であるとは限らない。
【００１３】
図１は、通信システム１０の一例を概略的に示す。通信システム１０は、無線基地局１００と通信端末３００との通信を中継する中継装置２１０を含む。中継装置２１０は、移動体に搭載されてよい。本実施形態では、中継装置２１０が車両２００に搭載される場合を例に挙げて説明する。中継装置２１０を搭載した車両２００は、移動基地局と呼ばれる場合もある。移動体の他の例として、ドローンのような無人航空機等が挙げられる。通信システム１０は、車両２００を含んでもよい。通信システム１０は、無線基地局１００を含んでもよい。なお、中継装置２１０は、移動体に搭載されず、固定的に設置されてもよい。中継装置２１０は、中継手段の一例であってよい。
【００１４】
車両２００は、自動車であってよい。車両２００は、無線通信機能を有していれば、どのような種類の自動車であってもよい。車両２００は、例えば、ガソリン車であってよく、また、いわゆるエコカーであってもよい。エコカーの種類としては、ＨＶ（Ｈｙｂｒｉｄ  Ｖｅｈｉｃｌｅ）、ＰＨＥＶ／ＰＨＶ（Ｐｌｕｇ−ｉｎ  Ｈｙｂｒｉｄ  Ｖｅｈｉｃｌｅ）、ＥＶ（Ｅｌｅｃｔｒｉｃ  Ｖｅｈｉｃｌｅ）、及びＦＣＶ（Ｆｕｅｌ  Ｃｅｌｌ  Ｖｅｈｉｃｌｅ）等が挙げられる。車両２００は、どのような用途の自動車であってもよい。車両２００は、例えば、自家用車であってよく、また、タクシー及びバス等の事業用の車両であってもよい。
【００１５】
無線基地局１００は、任意の移動体通信方式に準拠していてよい。無線基地局１００は、例えば、３Ｇ（３ｒｄ  Ｇｅｎｅｒａｔｉｏｎ）通信方式に準拠する。無線基地局１００は、例えば、ＬＴＥ（Ｌｏｎｇ  Ｔｅｒｍ  Ｅｖｏｌｕｔｉｏｎ）通信方式に準拠する。無線基地局１００は、ｅＮＢ（ｅＮｏｄｅＢ）であってよい。また、無線基地局１００は、例えば、５Ｇ（５ｔｈ  Ｇｅｎｅｒａｔｉｏｎ）通信方式に準拠する。無線基地局１００は、ｇＮＢ（ｇＮｏｄｅＢ）であってよい。無線基地局１００は、６Ｇ（６ｔｈ  Ｇｅｎｅｒａｔｉｏｎ）通信方式以降の移動体通信方式に準拠してもよい。ここでは、無線基地局１００がＬＴＥ通信方式に準拠する場合を主に例に挙げて説明する。
【００１６】
中継装置２１０は、例えば、無線基地局１００によって生成される無線通信エリア１０２に在圏して、無線基地局１００との間で無線通信を実行する。中継装置２１０が無線基地局１００によって生成される無線通信エリア１０２に在圏しているとは、中継装置２１０が無線通信エリア１０２内に位置して無線基地局１００と無線通信接続を確立していることであってよい。
【００１７】
中継装置２１０は、例えば、無線通信エリア２０２を生成して、無線通信エリア２０２に在圏している通信端末３００との間で無線通信を実行する。通信端末３００が無線通信エリア２０２に在圏しているとは、通信端末３００が無線通信エリア２０２内に位置して車両２００と無線通信接続を確立していることであってよい。なお、通信端末３００が中継装置２１０によって生成されている無線通信エリア２０２に在圏していることを、通信端末３００が中継装置２１０に在圏していると記載する場合がある。
【００１８】
中継装置２１０と通信端末３００との間の移動体通信方式は、中継装置２１０と無線基地局１００との間の移動体通信方式と同一であってよい。また、中継装置２１０と通信端末３００との間の移動体通信方式は、中継装置２１０と無線基地局１００との間の移動体通信方式と異なってもよい。
【００１９】
通信端末３００は、無線通信機能を有していればどのような通信端末であってもよい。通信端末３００は、例えば、スマートフォン等の携帯電話、タブレット端末、ウェアラブル端末、及びＰＣ（Ｐｅｒｓｏｎａｌ  Ｃｏｍｐｕｔｅｒ）等である。また、通信端末３００は、ＩｏＴ（Ｉｎｔｅｒｎｅｔ  ｏｆ  Ｔｈｉｎｇ）端末であってもよい。
【００２０】
本実施形態に係る中継装置２１０は、無線基地局１００と通信端末３００との通信を中継する中継機能のオンオフを切り替え可能である。中継装置２１０は、例えば、車両２００の乗員の操作に従って中継機能のオンオフを切り替える。
【００２１】
また、例えば、車両２００の動作状態に応じて、中継装置２１０の中継機能のオンオフが切り替わる。例えば、車両２００がエンジンを有する車であり、オフ状態、アクセサリ（ＡＣＣと記載する場合がある。）電源オン状態、イグニッション（ＩＧと記載する場合がある。）電源オン状態、及びエンジンオン状態を有する場合に、ＩＧ電源がオンになったときに、中継装置２１０の中継機能がオンになり、ＩＧ電源がオフになったときに、中継装置２１０の中継機能がオフになる。また、例えば、エンジンがオンになったときに、中継装置２１０の中継機能がオンになり、エンジンがオフになったときに、中継装置２１０の中継機能がオフになる。なお、ＡＣＣ電源がオンになったときに、中継装置２１０の中継機能がオンになり、ＡＣＣ電源がオフになったときに、中継装置２１０の中継機能がオフになってもよい。
【００２２】
また、例えば、車両２００が電気自動車であり、オフ状態、一部の電装品が利用可能になるＡＣＣ状態、全ての電装品が利用可能になるオン状態、及び走行可能状態を有する場合、オン状態になったときに、中継装置２１０の中継機能がオンになり、オン状態からＡＣＣ状態又はオフ状態に切り替わったときに、中継装置２１０の中継機能がオフになる。また、例えば、走行可能状態になったときに、中継装置２１０の中継機能がオンになり、走行可能状態からオン状態、ＡＣＣ状態、又はオフ状態に切り替わったときに、中継装置２１０の中継機能がオフになる。
【００２３】
また、例えば、車両２００が電気自動車であり、オフ状態、電源オン状態、及び走行可能状態を有する場合、電源オン状態になったときに、中継装置２１０の中継機能がオンになり、電源オン状態からオフ状態に切り替わったときに、中継装置２１０の中継機能がオフになる。また、例えば、走行可能状態になったときに、中継装置２１０の中継機能がオンになり、走行可能状態から電源オン状態又はオフ状態に切り替わったときに、中継装置２１０の中継機能がオフになる。
【００２４】
通信端末３００が中継装置２１０に在圏している状態で、中継装置２１０の中継機能がオフに切り替わると、通信端末３００の無線通信接続は切断されてしまう。中継装置２１０に複数の通信端末３００が在圏している場合、再接続が多発してしまうことになる。
【００２５】
本実施形態に係る中継装置２１０は、中継機能をオフにする場合に、中継機能をオフにする前に、中継装置２１０に在圏している通信端末３００が、他の中継装置２１０や無線基地局１００に在圏するように誘導する処理を行う。中継装置２１０は、中継機能をオフに切り替える場合に、中継装置２１０に在圏している通信端末３００に対するハンドオーバ閾値の変更命令を、通信端末３００に送信する。中継装置２１０は、中継機能をオフに切り替える場合に、中継装置２１０に在圏している通信端末３００に対して、通信端末３００との無線通信に用いている無線周波数帯に対するハンドオーバ閾値の変更命令を送信してよい。
【００２６】
中継装置２１０は、例えば、サービングセルからの電波受信強度がハンドオーバ閾値よりも低いか否かを判定するための当該ハンドオーバ閾値を増加させる変更命令を通信端末３００に送信する。具体例として、中継装置２１０は、ＬＴＥ通信方式の、イベントＡ２におけるハンドオーバ閾値を増加させる変更命令を通信端末３００に送信する。また、例えば、中継装置２１０は、イベントＡ５における、サービングセルからの電波受信強度と比較するハンドオーバ閾値を増加させる変更命令を通信端末３００に送信する。
【００２７】
中継装置２１０は、例えば、ハンドオーバ閾値を予め定められた値まで増加させる変更命令を通信端末３００に送信する。当該予め定められた値は、例えば、通常では設定されないような、現実的でないほどの高い値（例えば無限大かそれ相当）であってよい。
【００２８】
また、例えば、中継装置２１０は、ハンドオーバ閾値を予め定められた値の分増加させる変更命令を通信端末３００に送信する。当該予め定められた値は、現実的な値に設定されているハンドオーバ閾値に加算することによって、現実的でないほどの高い値（例えば無限大かそれ相当）となるような値であってよい。
【００２９】
上述したように、通信端末３００のハンドオーバ閾値を変更させることによって、中継装置２１０に在圏する通信端末３００にハンドオーバを促すことができ、中継装置２１０から通信端末３００を早期にハンドオーバさせることができる。中継装置２１０は、通信端末３００が中継装置２１０からハンドオーバした後に、中継機能をオフに切り替えてよい。これにより、中継装置２１０が中継機能をオフに切り替えるにあたって、中継装置２１０に在圏する通信端末３００の無線通信接続が切断されて、再接続が多発してしまう事態の発生を抑制することができる。
【００３０】
図２は、通信システム１０における処理の流れの一例を概略的に示す。ここでは、中継装置２１０に通信端末３００が在圏している状況で、中継装置２１０が中継機能をオフにする場合の処理の流れを説明する。
【００３１】
ステップ（ステップをＳと省略して記載する場合がある。）１０２では、中継装置２１０が、車両２００の乗員による、中継機能のオフ操作を受け付ける。Ｓ１０４では、中継装置２１０が、ハンドオーバ閾値の変更命令を通信端末３００に送信する。中継装置２１０は、例えば、メッセージ（例えば、ＲＲＣ  Ｃｏｎｎｅｃｔｉｏｎ  Ｒｅｃｏｎｆｉｇｕｒａｔｉｏｎ）にハンドオーバ閾値の変更命令を含めて通信端末３００に送信する。
【００３２】
Ｓ１０６では、通信端末３００が、Ｓ１０４において受信した変更命令に従って、ハンドオーバ閾値を変更する。Ｓ１０８では、通信端末３００が、中継装置２１０からの電波受信強度を測定する。ここでは、測定した電波受信強度が、Ｓ１０６において変更した後のハンドオーバ閾値より低いものとして説明を続ける。
【００３３】
Ｓ１１０では、通信端末３００が、測定報告を中継装置２１０に送信する。当該測定報告は、いわゆるＭｅａｓｕｒｅｍｅｎｔ  Ｒｅｐｏｒｔであってよい。
【００３４】
Ｓ１１２では、ハンドオーバ処理が実行されて、通信端末３００がハンドオーバする。通信端末３００は、例えば、中継装置２１０が在圏している無線基地局１００や、中継装置２１０とは異なる中継装置２１０に在圏する。
【００３５】
当該ハンドオーバ処理の方式は、任意の方式であってよい。例えば、当該ハンドオーバ処理は、Ｘ２ハンドオーバである。この場合、Ｓ１１０において測定報告を受信した中継装置２１０は、通信端末３００のハンドオーバ先を決定して、ハンドオーバ先に対してハンドオーバ要求を送信し、通信端末３００に対してハンドオーバ指示を送信する。中継装置２１０は、Ｘ２インタフェースを介して通信端末３００の端末情報をハンドオーバ先に送信し、通信端末３００とハンドオーバ先との間で同期処理が行われる。また、ハンドオーバ先から、コアネットワーク２０内のＭＭＥ（Ｍｏｂｉｌｉｔｙ  Ｍａｎａｇｅｍｅｎｔ  Ｅｎｔｉｔｙ）２２に対してパスの切り替え要求が送信され、ＭＭＥ２２は、ハンドオーバ先をコア側に通知する。そして、コア側によって、パスの切り替えが行われ、ハンドオーバが完了する。なお、当該ハンドオーバ処理は、Ｓ１ハンドオーバであってもよい。
【００３６】
Ｓ１１４では、中継装置２１０が、通信端末３００のハンドオーバが完了した後に、中継機能をオフにする。
【００３７】
図３は、通信システム１０における処理の流れの一例を概略的に示す。ここでは、図２に示す処理の流れとは異なる点を主に説明する。
【００３８】
Ｓ２０２では、中継装置２１０が、車両２００の乗員による、中継機能のオフ操作を受け付ける。Ｓ２０４では、中継装置２１０が、中継機能をオフにすることを通知する通知信号を、中継装置２１０が在圏している無線基地局１００に送信する。
【００３９】
Ｓ２０６では、無線基地局１００が、Ｓ２０４において通知信号を受信したことに応じて、通信端末３００に対するハンドオーバ閾値の変更命令を中継装置２１０に送信する。Ｓ２０８では、中継装置２１０が、Ｓ２０６において受信した変更命令を通信端末３００に送信する。
【００４０】
Ｓ２１０では、通信端末３００が、Ｓ２０８において受信した変更命令に従って、ハンドオーバ閾値を変更する。Ｓ２１２では、通信端末３００が、中継装置２１０からの電波受信強度を測定する。Ｓ２１４では、通信端末３００が、測定報告を中継装置２１０に送信する。Ｓ２１６では、ハンドオーバ処理が実行されて、通信端末３００がハンドオーバする。Ｓ２１８では、中継装置２１０が、通信端末３００のハンドオーバが完了した後に、中継機能をオフにする。
【００４１】
図４は、中継装置２１０の機能構成の一例を概略的に示す。中継装置２１０は、中継機能管理部２１２、変更命令生成部２１４、端末通信部２２０、基地局通信部２３０、及び推定部２４０を備える。なお、中継装置２１０がこれらの全ての構成を備えることは必須とは限らない。
【００４２】
中継機能管理部２１２は、無線基地局１００と通信端末３００との通信を中継する中継機能を管理する。中継機能管理部２１２は、中継機能のオンオフを切り替えてよい。中継機能管理部２１２は、中継機能管理手段の一例であってよい。
【００４３】
中継機能管理部２１２は、例えば、中継装置２１０に対する操作に従って、中継機能のオンオフを切り替える。例えば、中継機能管理部２１２は、中継装置２１０が搭載された車両２００の乗員の操作に従って、中継機能のオンオフを切り替える。また、例えば、中継機能管理部２１２は、中継装置２１０が搭載される移動体の状態に応じて、中継機能のオンオフを切り替える。
【００４４】
中継装置２１０が、エンジンを有する車両２００に搭載された場合、中継機能管理部２１２は、例えば、ＩＧ電源がオンになったときに、中継機能をオンにする。中継機能管理部２１２は、エンジンがオンになったときに、中継機能をオンにしてもよい。中継機能管理部２１２は、ＡＣＣ電源がオンになったときに、中継機能をオンにしてもよい。中継機能管理部２１２は、ＩＧ電源がオフになるときに、中継機能をオフにしてよい。中継機能管理部２１２は、エンジンがオフになるときに、中継機能をオフにしてもよい。中継機能管理部２１２は、ＡＣＣ電源がオフになるときに、中継機能をオフにしてもよい。
【００４５】
中継装置２１０が、オフ状態、ＡＣＣ状態、オン状態、及び走行可能状態を有する電気自動車に搭載された場合、中継機能管理部２１２は、例えば、オン状態になったときに、中継機能をオンにする。中継機能管理部２１２は、走行可能状態になったときに、中継機能をオンにしてもよい。中継機能管理部２１２は、ＡＣＣ状態になったときに、中継機能をオンにしてもよい。中継機能管理部２１２は、オン状態からＡＣＣ状態又はオフ状態に切り替わるときに、中継機能をオフにしてよい。中継機能管理部２１２は、走行可能状態から、オン状態、ＡＣＣ状態、又はオフ状態に切り替わるときに、中継機能をオフにしてもよい。中継機能管理部２１２は、ＡＣＣ状態からオフ状態に切り替わるときに、中継機能をオフにしてもよい。
【００４６】
中継装置２１０が、オフ状態、電源オン状態、及び走行可能状態を有する電気自動車に搭載された場合、中継機能管理部２１２は、電源オン状態になったときに、中継機能をオンにしてよい。中継機能管理部２１２は、走行可能状態になったときに、中継機能をオンにしてもよい。中継機能管理部２１２は、電源オン状態からオフ状態に切り替わるときに、中継機能をオフにしてよい。中継機能管理部２１２は、走行可能状態から電源オン状態又はオフ状態に切り替わるときに、中継機能をオフにしてもよい。
【００４７】
変更命令生成部２１４は、中継機能管理部２１２が中継機能をオフに切り替える場合に、中継装置２１０に在圏している通信端末３００に対するハンドオーバ閾値の変更命令を生成する。
【００４８】
端末通信部２２０は、通信端末３００と無線通信する。端末通信部２２０は、変更命令送信部２２２及び特定部２２４を有する。変更命令送信部２２２は、中継機能管理部２１２が中継機能をオフに切り替える場合に、ハンドオーバ閾値の変更命令を、中継装置２１０に在圏している通信端末３００に対して送信する。変更命令送信部２２２は、変更命令送信手段の一例であってよい。
【００４９】
特定部２２４は、通信端末３００との無線通信に用いている無線周波数帯を特定する。変更命令送信部２２２によって送信されるハンドオーバ閾値の変更命令は、特定部２２４によって特定された無線周波数帯に対するハンドオーバ閾値を変更する命令であってよい。特定部２２４は、特定手段の一例であってよい。
【００５０】
変更命令送信部２２２は、例えば、変更命令生成部２１４によって生成された変更命令を通信端末３００に送信する。変更命令生成部２１４は、特定部２２４によって特定された無線周波数帯に対するハンドオーバ閾値の変更命令を生成してもよい。変更命令は、無線基地局１００によって生成されてもよい。
【００５１】
基地局通信部２３０は、無線基地局１００と無線通信する。基地局通信部２３０は、通知信号送信部２３２及び変更命令受信部２３４を有してよい。通知信号送信部２３２は、中継機能管理部２１２が中継機能をオフに切り替える場合に、中継機能をオフにすることを通知する通知信号を無線基地局１００に送信する。通知信号送信部２３２は、特定部２２４によって特定された無線周波数帯を、通知信号とともに無線基地局１００に送信してもよい。
【００５２】
変更命令受信部２３４は、通知信号送信部２３２によって送信された通知信号に応じて、無線基地局１００が生成して送信した、通信端末３００に対するハンドオーバ閾値の変更命令を受信する。変更命令受信部２３４は、通知信号送信部２３２によって送信された通知信号及び無線周波数帯に応じて、無線基地局１００が生成して送信した、通信端末３００に対する、特定部２２４によって特定された無線周波数帯に対するハンドオーバ閾値の変更命令を、受信してもよい。また、変更命令は、中継装置２１０外に設けられた他の装置によって生成されてもよい。例えば、変更命令は、ＭＭＥ２２によって生成されてもよい。変更命令受信部２３４は、ＭＭＥ２２によって生成された変更命令を受信してもよい。変更命令送信部２２２は、変更命令受信部２３４が受信した変更命令を通信端末３００に送信してもよい。
【００５３】
変更命令送信部２２２は、ハンドオーバ閾値を予め定められた値まで増加させる変更命令を通信端末３００に送信してよい。変更命令送信部２２２は、ハンドオーバ閾値を予め定められた値の分増加させる変更命令を通信端末３００に送信してもよい。
【００５４】
中継機能管理部２１２は、変更命令送信部２２２が変更命令を通信端末３００に送信した後であって、通信端末３００が中継装置２１０からハンドオーバした後に、中継機能をオフに切り替えてよい。中継機能管理部２１２は、変更命令送信部２２２が変更命令を通信端末３００に送信した後であって、中継装置２１０に在圏する全ての通信端末３００が中継装置２１０からハンドオーバした後に、中継機能をオフに切り替えてよい。
【００５５】
推定部２４０は、中継機能がオンである間に、中継装置２１０を搭載している移動体の状態を監視して、中継機能がオフにされることを推定する。推定部２４０は、例えば、移動体の移動速度が予め定められた条件を満たした場合に、中継機能がオフにされると推定する。また、推定部２４０は、例えば、移動体の移動速度が予め定められた速度よりも遅い場合に、中継機能がオフにされると推定する。
【００５６】
例えば、中継装置２１０が車両２００に搭載された場合、推定部２４０は、車両２００の走行速度が予め定められた条件を満たした場合に、中継機能がオフにされると推定する。推定部２４０は、例えば、車両２００の走行速度の変化を監視して、車両２００が駐車される蓋然性が高いと判定した場合に、中継機能がオフにされると推定する。走行速度の変化と、車両２００が駐車されるか否かとの関係は、例えば、走行速度の変化及び車両２００が駐車されたか否かを示す多数のデータに対して機械学習を実行することによって、導出される。
【００５７】
また、推定部２４０は、車両２００の走行速度が、予め定められた速度よりも遅い場合に、中継機能がオフにされると推定する。車両２００の走行速度が予め定められた速度よりも遅い場合、車両２００は、そのまま駐車されて、エンジンや電源がオフにされる蓋然性が高く、中継機能がオフにされる可能性が高いといえる。
【００５８】
推定部２４０は、移動体の電源オフ操作を検出した場合に、中継機能がオフにされると推定する。この場合、移動体は、例えば、電源オフ操作が行われた場合に、中継装置２１０に在圏している通信端末３００がハンドオーバした後に、電源をオフにするよう構成されていてよい。
【００５９】
中継装置２１０が車両２００に搭載された場合、推定部２４０は、車両２００のイグニッションオフ操作を検出した場合に、中継機能がオフにされると推定してもよい。また、推定部２４０は、車両２００のエンジンオフ操作を検出した場合に、中継機能がオフにされると推定してもよい。
【００６０】
変更命令送信部２２２は、推定部２４０によって、中継機能がオフにされると推定されたことに応じて、変更命令を通信端末３００に送信してよい。例えば、推定部２４０によって、中継機能がオフにされると推定されたことに応じて、変更命令生成部２１４が変更命令を生成し、変更命令送信部２２２は、変更命令生成部２１４によって生成された変更命令を通信端末３００に送信する。また、例えば、推定部２４０によって、中継機能がオフにされると推定されたことに応じて、通知信号送信部２３２が通知信号を無線基地局１００に送信し、変更命令受信部２３４が無線基地局１００から受信した変更命令を、変更命令送信部２２２が、通信端末３００に送信する。
【００６１】
図４では、中継装置２１０が特定部２２４を有する例を示したが、これに限らない。特定部２２４は、中継装置２１０外に設けられた他の装置内に配置されてもよい。例えば、特定部２２４は、無線基地局１００に配置される。この場合、無線基地局１００は、特定手段の一例であってよい。また、特定部２２４は、ＭＭＥ２２に配置されてもよい。この場合、ＭＭＥ２２は、特定手段の一例であってよい。
【００６２】
図５は、中継装置２１０による処理の流れの一例を概略的に示す。ここでは、中継機能管理部２１２によって中継機能がオンからオフに切り替えられる場合の、中継装置２１０が備える各部構成による処理の流れを概略的に示す。
【００６３】
Ｓ３０２では、変更命令送信部２２２が、中継装置２１０に在圏している全ての通信端末３００に対して、ハンドオーバ閾値の変更命令を送信する。変更命令送信部２２２は、特定部２２４によって特定された、複数の通信端末３００のそれぞれとの無線通信に用いている無線周波数帯に対するハンドオーバ閾値の変更命令を、複数の通信端末３００のそれぞれに送信してもよい。
【００６４】
Ｓ３０４では、中継機能管理部２１２が、中継装置２１０に在圏する全ての通信端末３００が中継装置２１０からハンドオーバしたか否かを判定する。ハンドオーバしたと判定した場合、Ｓ３０６に進む。Ｓ３０６では、中継機能管理部２１２が、中継機能をオフにする。そして、処理を終了する。
【００６５】
図６は、中継装置２１０による処理の流れの一例を概略的に示す。ここでは、推定部２４０が、中継装置２１０を搭載している移動体の状態を監視している状態を開始状態として説明する。
【００６６】
Ｓ４０２では、推定部２４０が、中継装置２１０を搭載している移動体の状態を取得する。Ｓ４０４では、推定部２４０が、Ｓ４０２において取得した移動体の状態に基づいて、中継機能がオフにされるか否かを判定する。推定部２４０は、例えば、移動体の移動速度が予め定められた条件を満たした場合に、中継機能がオフにされると判定する。中継機能がオフにされると判定した場合、Ｓ４０６に進み、オフにされると判定しなかった場合、Ｓ４０２に戻る。
【００６７】
Ｓ４０６では、変更命令送信部２２２が、中継装置２１０に在圏している全ての通信端末３００に対して、ハンドオーバ閾値の変更命令を送信する。変更命令送信部２２２は、特定部２２４によって特定された、複数の通信端末３００のそれぞれとの無線通信に用いている無線周波数帯に対するハンドオーバ閾値の変更命令を、複数の通信端末３００のそれぞれに送信してもよい。
【００６８】
Ｓ４０８では、中継機能管理部２１２が、中継装置２１０に在圏する全ての通信端末３００が中継装置２１０からハンドオーバしたか否かを判定する。ハンドオーバしたと判定した場合、Ｓ４１０に進む。Ｓ４１０では、中継機能管理部２１２が、中継機能をオフにする。そして、処理を終了する。
【００６９】
図７は、中継装置２１０として機能するコンピュータ１２００のハードウェア構成の一例を概略的に示す。コンピュータ１２００にインストールされたプログラムは、コンピュータ１２００を、上記実施形態に係る装置の１又は複数の「部」として機能させ、又はコンピュータ１２００に、上記実施形態に係る装置に関連付けられるオペレーション又は当該１又は複数の「部」を実行させることができ、及び／又はコンピュータ１２００に、上記実施形態に係るプロセス又は当該プロセスの段階を実行させることができる。そのようなプログラムは、コンピュータ１２００に、本明細書に記載のフローチャート及びブロック図のブロックのうちのいくつか又はすべてに関連付けられた特定のオペレーションを実行させるべく、ＣＰＵ１２１２によって実行されてよい。
【００７０】
本実施形態によるコンピュータ１２００は、ＣＰＵ１２１２、ＲＡＭ１２１４、及びグラフィックコントローラ１２１６を含み、それらはホストコントローラ１２１０によって相互に接続されている。コンピュータ１２００はまた、通信インタフェース１２２２、記憶装置１２２４、ＤＶＤドライブ１２２６、及びＩＣカードドライブのような入出力ユニットを含み、それらは入出力コントローラ１２２０を介してホストコントローラ１２１０に接続されている。ＤＶＤドライブ１２２６は、ＤＶＤ−ＲＯＭドライブ及びＤＶＤ−ＲＡＭドライブ等であってよい。記憶装置１２２４は、ハードディスクドライブ及びソリッドステートドライブ等であってよい。コンピュータ１２００はまた、ＲＯＭ１２３０及びタッチパネルのようなレガシの入出力ユニットを含み、それらは入出力チップ１２４０を介して入出力コントローラ１２２０に接続されている。
【００７１】
ＣＰＵ１２１２は、ＲＯＭ１２３０及びＲＡＭ１２１４内に格納されたプログラムに従い動作し、それにより各ユニットを制御する。グラフィックコントローラ１２１６は、ＲＡＭ１２１４内に提供されるフレームバッファ等又はそれ自体の中に、ＣＰＵ１２１２によって生成されるイメージデータを取得し、イメージデータがディスプレイデバイス１２１８上に表示されるようにする。コンピュータ１２００は、ディスプレイデバイス１２１８を備えていなくてもよく、その場合、グラフィックコントローラ１２１６は、イメージデータが外部のディスプレイデバイスに表示されるようにする。
【００７２】
通信インタフェース１２２２は、無線通信ネットワークを介して他の電子デバイスと通信する。記憶装置１２２４は、コンピュータ１２００内のＣＰＵ１２１２によって使用されるプログラム及びデータを格納する。ＤＶＤドライブ１２２６は、プログラム又はデータをＤＶＤ−ＲＯＭ１２２７等から読み取り、記憶装置１２２４に提供する。ＩＣカードドライブは、プログラム及びデータをＩＣカードから読み取り、及び／又はプログラム及びデータをＩＣカードに書き込む。
【００７３】
ＲＯＭ１２３０はその中に、アクティブ化時にコンピュータ１２００によって実行されるブートプログラム等、及び／又はコンピュータ１２００のハードウェアに依存するプログラムを格納する。入出力チップ１２４０はまた、ＵＳＢポート等を介して、様々な入出力ユニットを入出力コントローラ１２２０に接続してよい。
【００７４】
プログラムは、ＤＶＤ−ＲＯＭ１２２７又はＩＣカードのようなコンピュータ可読記憶媒体によって提供される。プログラムは、コンピュータ可読記憶媒体から読み取られ、コンピュータ可読記憶媒体の例でもある記憶装置１２２４、ＲＡＭ１２１４、又はＲＯＭ１２３０にインストールされ、ＣＰＵ１２１２によって実行される。これらのプログラム内に記述される情報処理は、コンピュータ１２００に読み取られ、プログラムと、上記様々なタイプのハードウェアリソースとの間の連携をもたらす。装置又は方法が、コンピュータ１２００の使用に従い情報のオペレーション又は処理を実現することによって構成されてよい。
【００７５】
例えば、通信がコンピュータ１２００及び外部デバイス間で実行される場合、ＣＰＵ１２１２は、ＲＡＭ１２１４にロードされた通信プログラムを実行し、通信プログラムに記述された処理に基づいて、通信インタフェース１２２２に対し、通信処理を命令してよい。通信インタフェース１２２２は、ＣＰＵ１２１２の制御の下、ＲＡＭ１２１４、記憶装置１２２４、ＤＶＤ−ＲＯＭ１２２７、又はＩＣカードのような記録媒体内に提供される送信バッファ領域に格納された送信データを読み取り、読み取られた送信データをネットワークに送信し、又はネットワークから受信した受信データを記録媒体上に提供される受信バッファ領域等に書き込む。
【００７６】
また、ＣＰＵ１２１２は、記憶装置１２２４、ＤＶＤドライブ１２２６（ＤＶＤ−ＲＯＭ１２２７）、ＩＣカード等のような外部記録媒体に格納されたファイル又はデータベースの全部又は必要な部分がＲＡＭ１２１４に読み取られるようにし、ＲＡＭ１２１４上のデータに対し様々なタイプの処理を実行してよい。ＣＰＵ１２１２は次に、処理されたデータを外部記録媒体にライトバックしてよい。
【００７７】
様々なタイプのプログラム、データ、テーブル、及びデータベースのような様々なタイプの情報が記録媒体に格納され、情報処理を受けてよい。ＣＰＵ１２１２は、ＲＡＭ１２１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ１２１４に対しライトバックする。また、ＣＰＵ１２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ１２１２は、当該複数のエントリの中から、第１の属性の属性値が指定されている条件に一致するエントリを検索し、当該エントリ内に格納された第２の属性の属性値を読み取り、それにより予め定められた条件を満たす第１の属性に関連付けられた第２の属性の属性値を取得してよい。
【００７８】
上で説明したプログラム又はソフトウェアモジュールは、コンピュータ１２００上又はコンピュータ１２００近傍のコンピュータ可読記憶媒体に格納されてよい。また、専用通信ネットワーク又はインターネットに接続されたサーバシステム内に提供されるハードディスク又はＲＡＭのような記録媒体が、コンピュータ可読記憶媒体として使用可能であり、それによりプログラムを、ネットワークを介してコンピュータ１２００に提供する。
【００７９】
上記実施形態におけるフローチャート及びブロック図におけるブロックは、オペレーションが実行されるプロセスの段階又はオペレーションを実行する役割を持つ装置の「部」を表わしてよい。特定の段階及び「部」が、専用回路、コンピュータ可読記憶媒体上に格納されるコンピュータ可読命令と共に供給されるプログラマブル回路、及び／又はコンピュータ可読記憶媒体上に格納されるコンピュータ可読命令と共に供給されるプロセッサによって実装されてよい。専用回路は、デジタル及び／又はアナログハードウェア回路を含んでよく、集積回路（ＩＣ）及び／又はディスクリート回路を含んでよい。プログラマブル回路は、例えば、フィールドプログラマブルゲートアレイ（ＦＰＧＡ）、及びプログラマブルロジックアレイ（ＰＬＡ）等のような、論理積、論理和、排他的論理和、否定論理積、否定論理和、及び他の論理演算、フリップフロップ、レジスタ、並びにメモリエレメントを含む、再構成可能なハードウェア回路を含んでよい。
【００８０】
コンピュータ可読記憶媒体は、適切なデバイスによって実行される命令を格納可能な任意の有形なデバイスを含んでよく、その結果、そこに格納される命令を有するコンピュータ可読記憶媒体は、フローチャート又はブロック図で指定されたオペレーションを実行するための手段を作成すべく実行され得る命令を含む、製品を備えることになる。コンピュータ可読記憶媒体の例としては、電子記憶媒体、磁気記憶媒体、光記憶媒体、電磁記憶媒体、半導体記憶媒体等が含まれてよい。コンピュータ可読記憶媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭ又はフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ−ＲＯＭ）、デジタル多用途ディスク（ＤＶＤ）、ブルーレイ（登録商標）ディスク、メモリスティック、集積回路カード等が含まれてよい。
【００８１】
コンピュータ可読命令は、アセンブラ命令、命令セットアーキテクチャ（ＩＳＡ）命令、マシン命令、マシン依存命令、マイクロコード、ファームウェア命令、状態設定データ、又はＳｍａｌｌｔａｌｋ、ＪＡＶＡ（登録商標）、Ｃ＋＋等のようなオブジェクト指向プログラミング言語、及び「Ｃ」プログラミング言語又は同様のプログラミング言語のような従来の手続型プログラミング言語を含む、１又は複数のプログラミング言語の任意の組み合わせで記述されたソースコード又はオブジェクトコードのいずれかを含んでよい。
【００８２】
コンピュータ可読命令は、汎用コンピュータ、特殊目的のコンピュータ、若しくは他のプログラム可能なデータ処理装置のプロセッサ、又はプログラマブル回路が、フローチャート又はブロック図で指定されたオペレーションを実行するための手段を生成するために当該コンピュータ可読命令を実行すべく、ローカルに又はローカルエリアネットワーク（ＬＡＮ）、インターネット等のようなワイドエリアネットワーク（ＷＡＮ）を介して、汎用コンピュータ、特殊目的のコンピュータ、若しくは他のプログラム可能なデータ処理装置のプロセッサ、又はプログラマブル回路に提供されてよい。プロセッサの例としては、コンピュータプロセッサ、処理ユニット、マイクロプロセッサ、デジタル信号プロセッサ、コントローラ、マイクロコントローラ等を含む。
【００８３】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、請求の範囲の記載から明らかである。
【００８４】
請求の範囲、明細書、及び図面中において示した装置、システム、プログラム、及び方法における動作、手順、ステップ、及び段階などの各処理の実行順序は、特段「より前に」、「先立って」などと明示しておらず、また、前の処理の出力を後の処理で用いるのでない限り、任意の順序で実現しうることに留意すべきである。請求の範囲、明細書、及び図面中の動作フローに関して、便宜上「まず、」、「次に、」などを用いて説明したとしても、この順で実施することが必須であることを意味するものではない。
【符号の説明】
【００８５】
１０  システム、２０  コアネットワーク、２２  ＭＭＥ、１００  無線基地局、１０２  無線通信エリア、２００  車両、２０２  無線通信エリア、２１０  中継装置、２１２  中継機能管理部、２１４  変更命令生成部、２２０  端末通信部、２２２  変更命令送信部、２２４  特定部、２３０  基地局通信部、２３２  通知信号送信部、２３４  変更命令受信部、２４０  推定部、３００  通信端末、１２００  コンピュータ、１２１０  ホストコントローラ、１２１２  ＣＰＵ、１２１４  ＲＡＭ、１２１６  グラフィックコントローラ、１２１８  ディスプレイデバイス、１２２０  入出力コントローラ、１２２２  通信インタフェース、１２２４  記憶装置、１２２６  ＤＶＤドライブ、１２２７  ＤＶＤ−ＲＯＭ、１２３０  ＲＯＭ、１２４０  入出力チップ
【図１】
2020202339.tif 000003
【図２】
2020202339.tif 000004
【図３】
2020202339.tif 000005
【図４】
2020202339.tif 000006
【図５】
2020202339.tif 000007
【図６】
2020202339.tif 000008
【図７】
2020202339.tif 000009
【国際調査報告】
2020202339.tif 000010
2020202339.tif 000011
2020202339.tif 000012
2020202339.tif 000013